(57)【要約】【課題】複数で使用した場合であっても全体として一体感のある組み合わせ什器を構成することができる什器を提供する。【解決手段】什器Ａの什器本体１を基部２とこの基部２の上面に設けられた筒部３とから構成する。基部２の側面を、互いに直交する平面からなる基準面２ｄと、基準面２ｄの交差部に曲率中心を位置させた円弧面２ｅによって構成する。筒部３は、平面視形状を基部２の平面視形状と相似形とし、基部２の内側に配置する。【選択図】図１
0003122424.tif 000002
【実用新案登録請求の範囲】
【請求項１】
什器本体を備え、この什器本体には水平方向を向く基準面が形成されていることを特徴とする什器。
【請求項２】
上記什器本体が平面視三角形状をなす基部を有し、この基部の平面視三角形を構成する三つの側面のうちの少なくとも一つの側面に上記基準面が形成されていることを特徴とする請求項１に記載の什器。
【請求項３】
上記什器本体が平面視三角形状をなす基部を有し、この基部の平面視三角形を構成する三つの側面のうちの二つの側面に上記基準面が形成されていることを特徴とする請求項１に記載の什器。
【請求項４】
上記什器本体の水平方向を向く外面のうちの上記基準面と異なる箇所の少なくとも一部が網状体によって構成されていることを特徴とする請求項１〜３のいずれかに記載の什器。
【請求項５】
上記基部の上面に、上下方向に延び、上端が開口した筒部が形成され、この筒部の外周面の少なくとも一部が網状体によって構成されていることを特徴とする請求項２又は３に記載の什器。
【請求項６】
上記筒部が、上記基部とほぼ相似形で、かつ上記基部より小さく形成され、上記筒部は、上記基部の内側に平面視において上記基部と同一位相になるように配置されていることを特徴とする請求項５に記載の什器。
【請求項７】
上記基部及び上記筒部が平面視略直角三角形状をなしていることを特徴とする請求項６に記載の什器。
【請求項８】
上記基部及び上記筒部の斜辺となる側面が直交する二つの側面の交差部又はその近傍を中心とする円弧面によって形成され、この円弧面が上記網状体によって構成されていることを特徴とする請求項７に記載の什器。
【請求項９】
平面視三角形状をなす什器本体を有する複数の什器構成体を備え、各什器本体には水平方向を向く基準面が少なくとも一つ形成され、上記複数の什器構成体が、各什器本体の基準面どうしを突き合わせることによって互いに位置決めされていることを特徴とする組み合わせ什器。
【請求項１０】
上記什器本体には、互いに異なる方向を向く二つの基準面が形成されていることを特徴とする請求項９に記載の組み合わせ什器。
【請求項１１】
上記什器本体が平面視三角形状をなす基部を有し、この基部の平面視三角形を構成する三つの側面のうちの二つの側面に上記基準面が形成されていることを特徴とする請求項９又は１０に記載の組み合わせ什器。
【請求項１２】
上記什器本体の外面の上記基準面と異なる箇所の少なくとも一部が網状体によって構成されていることを特徴とする請求項９〜１１のいずれかに記載の組み合わせ什器。
【請求項１３】
上記基部の上面に、上下方向に延び、上端が開口した筒部が形成され、この筒部の外周面の少なくとも一部が網状体によって構成されていることを特徴とする請求項１１に記載の組み合わせ什器。
【請求項１４】
上記筒部が、上記基部とほぼ相似形で、かつ上記基部より小さく形成され、上記筒部は、上記基部の内側に平面視において上記基部と同一位相になるように配置されていることを特徴とする請求項１３に記載の組み合わせ什器。
【請求項１５】
上記基部及び上記筒部が平面視直角三角形状をなしていることを特徴とする請求項１４に記載の組み合わせ什器。
【請求項１６】
上記基部及び上記筒部の斜辺となる側面が直交する二つの側面の交差部又はその近傍を中心とする円弧面によって形成され、この円弧面が上記網状体によって構成されていることを特徴とする請求項１５に記載の組み合わせ什器。
【考案の詳細な説明】
【技術分野】
【０００１】
この考案は、商品等を陳列するための什器及び複数の什器構成体を組み合わせてなる組み合わせ什器に関する。
【背景技術】
【０００２】
一般に、商品の陳列等に用いられる什器は、通常、単独で使用されており、複数の什器を並べて使用する場合にも各什器はそれぞれの独立性を保っている。
【考案の開示】
【考案が解決しようとする課題】
【０００３】
しかしながら、什器は、単独で使用することも可能であるのみならず、組み合わせて用いた場合にも全体として一体感のある什器のような状況を呈するものであることが美観上から要望されることがある。
【課題を解決するための手段】
【０００４】
この考案は、上記の要望に応えるためになされたもので、第１の発明は、什器本体を備え、この什器本体には水平方向を向く基準面が形成されていることを特徴としている。
【０００５】
この場合、上記什器本体が平面視三角形状をなす基部を有し、この基部の平面視三角形を構成する三つの側面のうちの少なくとも一つの側面に上記基準面が形成されていることが望ましい。
このように構成すれば、基部どうしの一体感が発生し、全体的な一体感がより一層向上する。
【０００６】
上記什器本体が平面視三角形状をなす基部を有し、この基部の平面視三角形を構成する三つの側面のうちの二つの側面に上記基準面が形成されていることが望ましい。
このように構成すれば、床と二つの壁面が交差する部屋の隅部に什器を無理なく設置することができる。
【０００７】
上記什器本体の水平方向を向く外面のうちの上記基準面と異なる箇所の少なくとも一部が網状体によって構成されていることが望ましい。
このように構成すれば、網状体にハンガー等を引っ掛けることができる。
【０００８】
上記基部の上面に、上下方向に延び、上端が開口した筒部が形成され、この筒部の外周面の少なくとも一部が網状体によって構成されていることが望ましい。
このように構成すれば、網状体にハンガー等を引っ掛けることができる上、筒部内に商品等を収容したり、筒部内に商品用の支柱を立設することができる。
【０００９】
上記筒部が、上記基部とほぼ相似形で、かつ上記基部より小さく形成され、上記筒部は、上記基部の内側に平面視において上記基部と同一位相になるように配置されていることが望ましい。
このように構成すれば、什器を部屋の隅部に配置したときに、什器をより一層無理なく、しかも美観的にも優れた状態で設置することができる。
【００１０】
上記基部及び上記筒部が平面視略直角三角形状をなしていることが望ましい。
このように構成すれば、什器を部屋の隅部の二つの壁に沿うように設置することができる。
【００１１】
上記基部及び上記筒部の斜辺となる側面が直交する二つの側面の交差部又はその近傍を中心とする円弧面によって形成され、この円弧面が上記網状体によって構成されていることが望ましい。
このように構成すれば、什器を部屋の隅部に設置したときに、部屋の内側を向く面が円弧状になるので、部屋に変化を持たせることができるとともに、円弧状をなす部分に商品等を引っ掛けることができる。
【００１２】
また、第２の発明は、上記の要望に応えるために、平面視三角形状をなす什器本体を有する複数の什器構成体を備え、各什器本体には水平方向を向く基準面が少なくとも一つ形成され、上記複数の什器構成体が、各什器本体の基準面どうしを突き合わせることによって互いに位置決めされていることを特徴としている。
【００１３】
この場合、上記什器本体には、互いに異なる方向を向く二つの基準面が形成されていることが望ましい。
このように構成すれば、什器構成体の組み合わせ方を変えることができる。
【００１４】
上記什器本体が平面視三角形状をなす基部を有し、この基部の平面視三角形を構成する三つの側面のうちの二つの側面に上記基準面が形成されていることが望ましい。
このように構成すれば、基部の基準面どうしをつき合わせることにより、什器構成体どうしの一体感を増すことができる。
【００１５】
上記什器本体の外面の上記基準面と異なる箇所の少なくとも一部が網状体によって構成されていることが望ましい。
このように構成すれば、網状体にハンバー等を引っ掛けることができる。
【００１６】
上記基部の上面に、上下方向に延び、上端が開口した筒部が形成され、この筒部の外周面の少なくとも一部が網状体によって構成されていることが望ましい。
このように構成すれば、網状体にハンガー等を引っ掛けることができる上、筒部内に商品等を収容したり、筒部内に商品用の支柱を立設することができる。
【００１７】
上記筒部が、上記基部とほぼ相似形で、かつ上記基部より小さく形成され、上記筒部は、上記基部の内側に平面視において上記基部と同一位相になるように配置されていることが望ましい。
このように構成すれば、什器を部屋の隅部に配置したときに、什器をより一層無理なく、しかも美観的にも優れた状態で設置することができる。
【００１８】
上記基部及び上記筒部が平面視直角三角形状をなしていることが望ましい。このように構成すれば、一つの什器構成体を部屋の隅部の二つの壁に沿うように設置し、一つの什器としても使用することができる。
【００１９】
上記基部及び上記筒部の斜辺となる側面が直交する二つの側面の交差部又はその近傍を中心とする円弧面によって形成され、この円弧面が上記網状体によって構成されていることが望ましい。
このように構成すれば、什器構成体を部屋の隅部に設置したときに、部屋の内側を向く面が円弧状になるので、部屋に変化を持たせることができるとともに、円弧状をなす部分に商品等を引っ掛けることができる。
【考案の効果】
【００２０】
上記特徴構成を有するこの考案によれば、複数の什器又は什器構成体を組み合わせる場合、基準面どうしを突き合わせることにより、複数の什器又は什器構成体全体が一つの什器のような状況を呈する。
【考案を実施するための最良の形態】
【００２１】
以下、この考案を実施するための最良の形態を、図面を参照して説明する。
図１〜図５は、この考案の第１実施の形態を示す。この実施の形態の什器Ａ（什器構成体）は、什器本体１を備えている。この什器本体１は、基部２及び筒部３を有している。
【００２２】
基部２は、水平に配置された上板部２ａと、この上板部２ａの周囲から鉛直下方に向かって突出する周壁部２ｂとによって構成されている。基部２は、平面視略直角三角形状をなしている。したがって、周壁部２ｂは、平面視において互いに直交する二つの辺を構成する互いに直交する二つの側面と、斜辺を構成する側面とを有している。この場合、互いに直交する二つの側面は、平面によって構成されており、それぞれ基準面２ｃ，２ｄになっている。残りの側面は、基準面２ｃ，２ｄの交差部を曲率中心とする円弧面２ｅによって構成されている。残りの側面は、平面によって構成してもよい。
なお、この考案において基準面とは、当該基準面を他の物品に突き当てることによって当該基準面を有する什器の水平方向における位置を決めるものである。すなわち、基準面とは、水平方向における位置決めのための基準となるものである。
【００２３】
基部２の上面の各角部から若干内側に寄った箇所には、支柱４Ａ，４Ｂ，４Ｃがそれぞれ立設されている。３本の支柱４Ａ，４Ｂ，４Ｃの上端部には、帯状をなす補強部材５が３本の支柱４Ａ，４Ｂ，４Ｃを囲むようにして固定されている。この補強部材５は、その平面視形状が基部２の平面視形状とほぼ相似形であり、基部２より小さく形成されている。補強部材５は、平面視において基部２の内側に配置されている。しかも、補強部材５は、平面視において基部２とほぼ同位相に配置されている。したがって、補強部材５の互いに直交する二つの側面は、基準面２ｃ，２ｄと平行になっている。また、補強部材５の円弧状をなす側面の曲率中心は、円弧面２ｅの曲率中心と平面視においてほぼ同一位置に配置されている。
【００２４】
基部２と補強部材５との間には、軸線を上下方向に向けた筒体６が設けられている。筒体６は、水平に延びる横線材と、上下に延びる縦線材とを格子状に組み立ててなる網状体によって構成されている。筒体６は、その平面視形状が基部２及び補強部材５の平面視形状とほぼ相似形であり、補強部材５より小さく形成されている。筒体６は、平面視において補強部材５の内側に配置されている。しかも、筒体６は、平面視において基部２と同位相に配置されている。したがって、筒対６の互いに直交する二つの側面は、基準面２ｃ，２ｄと平行になっている。また、筒体６の円弧状をなす側面の曲率中心は、円弧面２ｅの曲率中心と平面視においてほぼ同一位置に配置されている。筒体６は、支柱４Ａ，４Ｂ，４Ｃ及び補強部材５に固定されている。筒体６の下端部は、基部２の上面に固定してもよい。支柱４Ａ，４Ｂ，４Ｃ、補強部材５及び筒体６によって筒部３が構成されている。
【００２５】
基部２の上板部２ａの下面には、ストッパ機構を内蔵した四つのキャスタ７がそれぞれブラケット８を介して設けられている。四つのキャスタ７は、基部２の三つの角部と円弧面２ｅのほぼ中央に対応する箇所とにそれぞれ配置されている。四つのキャスタ７により、什器Ａを容易に移動させることができるとともに、所望の位置に停止させることができる。
【００２６】
上記構成の什器Ａは、例えば図５に示すように、床Ｆと壁Ｗ１及び壁Ｗ２が交差する部屋の隅部に設置することができる。この場合、什器Ａは、その基準面２ｃ，２ｄを壁Ｗ１，Ｗ２に平面接触させることによって位置決めされている。この結果、什器Ａは、壁Ｗ１，Ｗ２との間に大きな隙間が形成されることなく、什器本体１全体が壁Ｗ１，Ｗ２に沿うように設置される。
【００２７】
什器Ａは、組み合わせ什器の什器構成体として使用することも可能である。図６は、この考案に係る組み合わせ什器の第１実施の形態を示すものであり、この実施の形態の組み合わせ什器Ｂにおいては、上記什器Ａが二つ用いられている。二つの什器Ａ，Ａの一方（図６の左側）の什器Ａの基準面２ｄと他方の什器Ａの基準面２ｃとが互いに突き合わされている。これにより、二つの什器Ａ，Ａが互いに位置決めされるとともに、二つの什器Ａ，Ａの什器本体１，１が平面視半円状をなすように構成されている。そして、二つの什器Ａ，Ａからなる組み合わせ什器Ｂは、二つの什器Ａ，Ａの基準面２ｃ，２ｄが壁Ｗに面接触するように配置されている。
【００２８】
図７は、組み合わせ什器の第２実施の形態を示す。この実施の形態の組み合わせ什器Ｃにおいては、上記構成の什器（什器構成体）Ａが四つ用いられている。四つの什器Ａは、それらの什器本体１全体が平面視において一つの円を構成するよう、周方向に隣接する二つの什器Ａ，Ａの基準面２ｃ，２ｄどうしが面接触させられている。
【００２９】
図８は、この考案に係る什器の第２実施の形態を示す。この実施の形態の什器Ａ′においては、基準面２ｃ，２ｄのなす角度が６０°に設定されている。この什器Ａ′は、三つ用いることによって平面視半円状をなす組み合わせ什器を構成し、六つ用いることによって平面視円状をなす組み合わせ什器を構成することができる。
【００３０】
図９は、この考案に係る什器の第３実施の形態を示す。この実施の形態の什器Ａ″においては、上記什器Ａの円弧面２ｅに代えて平面２ｆが用いられており、この平面２ｆが基準面になっている。この什器Ａ″を二つ用い、各什器Ａ″，Ａ″の基準面２ｆ、２ｆを互いに付き合わせることにより、平面視正方形状をなす組み合わせ什器を構成することができる。
なお、基部２の二つの側面２ｇ、２ｈのなす角度は６０°にしてもよく、そのようにした場合には、二つの什器（什器構成体）を組み合わせることによって菱形状の組み合わせ什器が得られる。
また、基準面の位置は適宜変更可能である。
【図面の簡単な説明】
【００３１】
【図１】この考案に係る什器の第１実施の形態を示す図３のＸ矢視図である。
【図２】同実施の形態を示す図３のＹ矢視図である。
【図３】同実施の形態を示す平面図である。
【図４】同実施の形態を示す斜視図である。
【図５】同実施の形態の一使用態様を示す斜視図である。
【図６】この考案に係る組み合わせ什器の第１実施の形態を示す平面図である。
【図７】この考案に係る組み合わせ什器の第２実施の形態を示す平面図である。
【図８】この考案に係る什器の第２実施の形態を示す平面図である。
【図９】この考案に係る什器の第３実施の形態を示す平面図である。
【符号の説明】
【００３２】
Ａ  什器
Ａ′  什器
Ａ″  什器
Ｂ  組み合わせ什器
Ｃ  組み合わせ什器
１  什器本体
２  基部
２ｃ  基準面
２ｄ  基準面
２ｅ  円弧面
２ｆ  基準面
３  筒部
【図１】
0003122424.tif 000003
【図２】
0003122424.tif 000004
【図３】
0003122424.tif 000005
【図４】
0003122424.tif 000006
【図５】
0003122424.tif 000007
【図６】
0003122424.tif 000008
【図７】
0003122424.tif 000009
【図８】
0003122424.tif 000010
【図９】
0003122424.tif 000011
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
水平方向に配置される上板部の周囲から鉛直下方に向かって平坦な側面が突出して構成される基部を有する什器本体を備え、前記側面に、水平方向に向けられて前記什器本体の水平方向における位置を決めのための平坦な基準面が前記側面と一体的に設けられていることを特徴とする什器。
【請求項２】
上記什器本体が平面視三角形状をなす基部を有し、この基部の平面視三角形を構成する三つの側面のうちの少なくとも一つの側面に上記基準面が形成されていることを特徴とする請求項１に記載の什器。
【請求項３】
上記什器本体が平面視三角形状をなす基部を有し、この基部の平面視三角形を構成する三つの側面のうちの二つの側面に上記基準面が形成されていることを特徴とする請求項１に記載の什器。
【請求項４】
上記什器本体の水平方向を向く外面のうちの上記基準面と異なる箇所の少なくとも一部が網状体によって構成されていることを特徴とする請求項１〜３のいずれかに記載の什器。
【請求項５】
上記基部の上面に、上下方向に延び、上端が開口した筒部が形成され、この筒部の外周面の少なくとも一部が網状体によって構成されていることを特徴とする請求項２又は３に記載の什器。
【請求項６】
上記筒部が、上記基部とほぼ相似形で、かつ上記基部より小さく形成され、上記筒部は、上記基部の内側に平面視において上記基部と同一位相になるように配置されていることを特徴とする請求項５に記載の什器。
【請求項７】
上記基部及び上記筒部が平面視略直角三角形状をなしていることを特徴とする請求項６に記載の什器。
【請求項８】
上記基部及び上記筒部の斜辺となる側面が直交する二つの側面の交差部又はその近傍を中心とする円弧面によって形成され、この円弧面が上記網状体によって構成されていることを特徴とする請求項７に記載の什器。
【請求項９】
平面視三角形状をなす上板部の周囲から鉛直下方に向かって平坦な側面が突出して構成される基部を有する什器本体からなる複数の什器構成体を備え、各什器本体の前記基部の側面に、水平方向に向けられた平坦な基準面が前記側面と一体的に少なくとも一つ形成され、上記複数の什器構成体が、各什器本体の基準面どうしを突き合わせることによって、互いの水平方向における位置決めがなされることを特徴とする組み合わせ什器。
【請求項１０】
上記什器本体には、互いに異なる方向を向く二つの基準面が形成されていることを特徴とする請求項９に記載の組み合わせ什器。
【請求項１１】
上記什器本体が平面視三角形状をなす基部を有し、この基部の平面視三角形を構成する三つの側面のうちの二つの側面に上記基準面が形成されていることを特徴とする請求項９又は１０に記載の組み合わせ什器。
【請求項１２】
上記什器本体の外面の上記基準面と異なる箇所の少なくとも一部が網状体によって構成されていることを特徴とする請求項９〜１１のいずれかに記載の組み合わせ什器。
【請求項１３】
上記基部の上面に、上下方向に延び、上端が開口した筒部が形成され、この筒部の外周面の少なくとも一部が網状体によって構成されていることを特徴とする請求項１１に記載の組み合わせ什器。
【請求項１４】
上記筒部が、上記基部とほぼ相似形で、かつ上記基部より小さく形成され、上記筒部は、上記基部の内側に平面視において上記基部と同一位相になるように配置されていることを特徴とする請求項１３に記載の組み合わせ什器。
【請求項１５】
上記基部及び上記筒部が平面視直角三角形状をなしていることを特徴とする請求項１４に記載の組み合わせ什器。
【請求項１６】
上記基部及び上記筒部の斜辺となる側面が直交する二つの側面の交差部又はその近傍を中心とする円弧面によって形成され、この円弧面が上記網状体によって構成されていることを特徴とする請求項１５に記載の組み合わせ什器。
【手続補正２】
【補正対象書類名】明細書
【補正対象項目名】０００４
【補正方法】変更
【補正の内容】
【０００４】
この考案は、上記の要望に応えるためになされたもので、第１の発明は、水平方向に配置される上板部の周囲から鉛直下方に向かって平坦な側面が突出して構成される基部を有する什器本体を備え、前記側面に、水平方向に向けられて前記什器本体の水平方向における位置を決めのための平坦な基準面が前記側面と一体的に設けられていることを特徴としている。
【手続補正３】
【補正対象書類名】明細書
【補正対象項目名】００１２
【補正方法】変更
【補正の内容】
【００１２】
また、第２の発明は、上記の要望に応えるために、平面視三角形状をなす上板部の周囲から鉛直下方に向かって平坦な側面が突出して構成される基部を有する什器本体からなる複数の什器構成体を備え、各什器本体の前記基部の側面に、水平方向に向けられた平坦な基準面が前記側面と一体的に少なくとも一つ形成され、上記複数の什器構成体が、各什器本体の基準面どうしを突き合わせることによって、互いの水平方向における位置決めがなされることを特徴としている。